(57)【要約】  冷凍サイクル装置は、熱交換器と、熱交換器の下方に配置されたドレンパンと、熱交換器の下端部とドレンパンとの間に配置され、熱交換器の下端部の幅から狭い幅へと下方に収束する収束面を有した集水部と、を備えた。
2018207248.tif 000002
【特許請求の範囲】
【請求項１】
熱交換器と、
前記熱交換器の下方に配置されたドレンパンと、
前記熱交換器の下端部と前記ドレンパンとの間に配置され、前記熱交換器の下端部の幅から狭い幅へと下方に収束する収束面を有した集水部と、
を備えた冷凍サイクル装置。
【請求項２】
前記集水部は、前記熱交換器の下端部の幅から前記熱交換器の下端部の幅を下方へ投影した投影幅の内側の狭い幅へと下方に収束する収束面を有した請求項１に記載の冷凍サイクル装置。
【請求項３】
前記ドレンパンは、前記集水部の全体を覆った請求項１または２に記載の冷凍サイクル装置。
【請求項４】
前記ドレンパンの内底幅は、前記熱交換器の下端部の幅よりも狭い請求項１〜３のいずれか１項に記載の冷凍サイクル装置。
【請求項５】
前記収束面は、斜面である請求項１〜４のいずれか１項に記載の冷凍サイクル装置。
【請求項６】
前記熱交換器は、上部が二股に広がって下部を接続したＶ字型の熱交換器であり、
前記集水部は、前記Ｖ字型の熱交換器における下部の接続された下端部の幅から狭い幅へと下方に収束する収束面を有した請求項１〜５のいずれか１項に記載の冷凍サイクル装置。
【請求項７】
前記ドレンパンは、前記熱交換器が冷媒と熱交換する空気の流路内に配置された請求項１〜６のいずれか１項に記載の冷凍サイクル装置。
【請求項８】
前記空気を送風するファンを備え、
前記ファンは、前記熱交換器の上方に配置され、
前記空気の流路では、空気が前記熱交換器および前記ドレンパンを上から下に通過して流れる請求項７に記載の冷凍サイクル装置。
【請求項９】
前記ドレンパンは、前記熱交換器と上下方向で離れて配置された請求項１〜８のいずれか１項に記載の冷凍サイクル装置。
【請求項１０】
前記集水部は、前記熱交換器とは別体の集水部品である請求項１〜９のいずれか１項に記載の冷凍サイクル装置。
【請求項１１】
前記集水部品の前記熱交換器の長手方向に直交する断面は、多角形である請求項１０に記載の冷凍サイクル装置。
【請求項１２】
前記集水部品は、上部を下方に行くに従い前記熱交換器の長手方向に直交する断面を外方に向かって傾斜させた請求項１０または１１に記載の冷凍サイクル装置。
【請求項１３】
前記収束面には、複数の隙間が形成された請求項１０〜１２のいずれか１項に記載の冷凍サイクル装置。
【請求項１４】
前記集水部は、前記熱交換器の下端部に接続されて一体に形成された請求項１〜９のいずれか１項に記載の冷凍サイクル装置。
【請求項１５】
請求項１〜１４のいずれか１項に記載の冷凍サイクル装置は、空気調和装置の室内機である空気調和装置。
【発明の詳細な説明】
【技術分野】
【０００１】
本発明は、熱交換器とドレンパンとを備えた冷凍サイクル装置および空気調和装置に関する。
【背景技術】
【０００２】
近年、空気調和装置では、性能の向上を図るために熱交換器の積載量を増加させる傾向がある。しかし、熱交換器の積載量の増加に伴って室内機が巨大化すると、室内機の据え付けが困難である。また、室内景観が損なわれる。そのため、使用者が望むものではない。このため、室内機内での熱交換器の配置が工夫され、熱交換器の積載効率の向上が図られ、室内機の大きさが極力小さく構成される。【０００３】
室内機では、大きさを極力小さくするように熱交換器を特許文献１のように配置する場合がある。特許文献１に開示された室内機では、二股に広がった上部とこの上部から接続された頂点を下部として形成されたＶ字型の熱交換器と、この熱交換器の空気の流路内の上流側にファンと、が設けられている。【０００４】
特許文献１の技術では、Ｖ字型の熱交換器の下部である頂点側に凝縮水が集約されるため、ドレンパンが熱交換器の下部である頂点の直下に設けられる。このようにドレンパンを設けることが一般的である。【０００５】
なお、特許文献１の技術では、ドレンパンがこのドレンパンの奥行き幅を熱交換器の下端部の奥行長さよりも長く設定されている。これにより、熱交換器の下端部の全てがドレンパンの内側に収容されている。
【先行技術文献】
【特許文献】
【０００６】
【特許文献１】特開平６−２７２８８４号公報
【発明の概要】
【発明が解決しようとする課題】
【０００７】
室内機の熱交換器の積載効率を向上させるためには、特許文献１の技術のようなＶ字型の熱交換器を用いることが一般的である。しかしながら、Ｖ字型の熱交換器の場合には、冷房運転時に発生する凝縮水を受け止めるドレンパンが空気の流路内に位置する。このため、ドレンパンは、空気の流路を部分的に塞ぎ、流路断面積を削減している。また、ドレンパンに吹き出し空気が衝突し、流れる空気の圧力損失が増大する。このため、通風抵抗の増加も招いている。これにより、Ｖ字型の熱交換器の場合には、ファン効率の低下が招かれる。【０００８】
また、ドレンパンがＶ字型の熱交換器の一部を大きく覆ってしまう。このため、Ｖ字型の熱交換器におけるドレンパンから露出する範囲が狭められる。これにより、Ｖ字型の熱交換器の場合には、熱交換効率の低下が招かれる。【０００９】
したがって、ファン効率の低下が抑制されるとともに、熱交換効率の低下が抑制されるように、ドレンパンの外形を極力小さくすることが望まれる。【００１０】
本発明は、上記課題を解決するためのものであり、ドレンパンの外形が極力小さくされ、ファン効率の低下が抑制できるとともに、熱交換効率の低下が抑制できる冷凍サイクル装置および空気調和装置を提供する。
【課題を解決するための手段】
【００１１】
本発明に係る冷凍サイクル装置は、熱交換器と、前記熱交換器の下方に配置されたドレンパンと、前記熱交換器の下端部と前記ドレンパンとの間に配置され、前記熱交換器の下端部の幅から狭い幅へと下方に収束する面を有した集水部と、を備えたものである。【００１２】
本発明に係る空気調和装置では、上記の冷凍サイクル装置は、空気調和装置の室内機であるものである。
【発明の効果】
【００１３】
本発明に係る冷凍サイクル装置および空気調和装置によれば、熱交換器の下端部とドレンパンとの間に配置され、熱交換器の下端部の幅から狭い幅へと下方に収束する面を有した集水部を備えた。したがって、ドレンパンの外形が極力小さくされ、ファン効率の低下が抑制できるとともに、熱交換効率の低下が抑制できる。
【図面の簡単な説明】
【００１４】
【図１】本発明の実施の形態１に係る空気調和装置を示す概略構成図である。
【図２】本発明の実施の形態１に係る空気調和装置の室内機の縦断面を示す説明図である。
【図３】本発明の実施の形態１に係るＶ字型熱交換器、ドレンパンおよび集水部品を示す説明図である。
【図４】本発明の実施の形態１に係る一方のＶ字型熱交換器、ドレンパンおよび集水部品を示す説明図である。
【図５】本発明の実施の形態１に係る一方のＶ字型熱交換器、ドレンパンおよび集水部品の他の例を示す説明図である。
【図６】本発明の実施の形態１に係る集水部品を示す斜視図である。
【図７】本発明の実施の形態１に係る集水部品の他の例１を示す斜視図である。
【図８】本発明の実施の形態１に係る集水部品の他の例２を示す斜視図である。
【図９】本発明の実施の形態１に係る集水部品の他の例３を示す斜視図である。
【図１０】本発明の実施の形態１に係る集水部品の他の例３を用いることによるドレンパンの小型化状態を示す説明図である。
【発明を実施するための形態】
【００１５】
以下、図面に基づいて本発明の実施の形態について説明する。なお、各図において、同一の符号を付したものは、同一のまたはこれに相当するものであり、これは明細書の全文において共通している。さらに、明細書全文に示す構成要素の形態は、あくまで例示であってこれらの記載に限定されるものではない。
【００１６】
実施の形態１．
＜空気調和装置１００の構成＞
図１は、本発明の実施の形態１に係る空気調和装置１００を示す概略構成図である。図１に示すように、空気調和装置１００は、室外機８と室内機９とを配管によって接続されて構成されている。
【００１７】
室外機８と室内機９とを接続する配管内には、熱の授受を行うための冷媒が充填されている。冷媒は、室外機８と室内機９との間を循環することにより、室内機９の配置された空間に対して冷房または暖房を実施できる。冷媒の種類としては、Ｒ３２あるいはＲ４１０Ａなどが例示できる。
【００１８】
室外機８は、圧縮機１と、室外熱交換器３と、膨張弁４と、四方弁２と、室外送風ファン６と、を備えている。室内機９は、室内熱交換器５と、室内ファンであるプロペラファン７と、を備えている。
【００１９】
＜空気調和装置１００の室内機９の構成＞
図２は、本発明の実施の形態１に係る空気調和装置１００の室内機９の縦断面を示す説明図である。室内機９の筐体は、断面矩形形状の意匠パネル２２により形成されている。意匠パネル２２には、上部に吸込口１３が形成されている。意匠パネル２２には、下部に吹出口２３が形成されている。意匠パネル２２内には、前部ケーシング１５が配置されている。意匠パネル２２は、後部にて、下方側を後部ケーシング１４と接続されている。
【００２０】
室内機９は、吸込口１３の下方の内部に、室内ファンとしてのプロペラファン７と、ファンモータ２４と、ベルマウス１７と、を備えている。プロペラファン１６は、室内熱交換器５としての第１、第２Ｖ字型熱交換器５１、５２の上方に配置されている。プロペラファン７は、ファンモータ２４に駆動されて回転し、空気を送風する。
【００２１】
室内機９は、プロペラファン７の下方の前方内部に、第１Ｖ字型熱交換器５１と、第１ドレンパン６１と、第１集水部品７１と、を備えている。
【００２２】
室内機９は、プロペラファン７の下方の後方内部に、第２Ｖ字型熱交換器５２と、第２ドレンパン６２と、第２集水部品７２と、を備えている。
【００２３】
室内機９は、吹出口２３に、第１上下風向板１８と、第２上下風向板１９と、左右風向板２０と、を備えている。
【００２４】
室内機９は、第１Ｖ字型熱交換器５１と第２Ｖ字型熱交換器５２との間に、第１整流板２１ａと、第２整流板２１ｂと、を備えている。
【００２５】
＜空気調和装置１００の室内機９の動作＞
空調対象の空間内の空気は、ファンモータ２４によって駆動されるプロペラファン７を回転させることにより吸い込まれる。
【００２６】
室内機９に吸い込まれた空気は、吸込口１３を通って第１、第２Ｖ字型熱交換器５１、５２に供給される。第１、第２Ｖ字型熱交換器５１、５２に供給された空気は、第１、第２Ｖ字型熱交換器５１、５２との間で熱の授受が行われる。第１、第２Ｖ字型熱交換器５１、５２と熱交換を完了した調和空気は、前部ケーシング１５と第１整流板２１ａと第２整流板２１ｂと後部ケーシング１４とに沿って空気が流れる。つまり、空気の流路である風路では、空気が第１、第２Ｖ字型熱交換器５１、５２および第１、第２ドレンパン６１、６２を上から下に通過して流れる。
【００２７】
その後の空気は、吹出口２３に配置された第１上下風向板１８および第２上下風向板１９によって使用者の指定する任意の上下方向に送風される。また、同様に空気は、第１上下風向板１８に設けられた左右風向板２０によって使用者の指定する任意の左右方向に送風される。
【００２８】
図３は、本発明の実施の形態１に係る第１、第２Ｖ字型熱交換器５１、５２、第１、第２ドレンパン６１、６２および第１、第２集水部品７１、７２を示す説明図である。冷房運転の場合には、第１、第２Ｖ字型熱交換器５１、５２の温度が供給された空気の温度における露点温度以下になることがある。そのようなときには、供給された空気は、除湿されて第１、第２Ｖ字型熱交換器５１、５２の表面に水分を凝縮させる。凝縮した水分が所定の一定量に保持されると、凝縮水は、自重もしくは送風により第１、第２Ｖ字型熱交換器５１、５２の表面を伝ってドレンパン６１、６２へ流れる。なお、第１、第２Ｖ字型熱交換器５１、５２の表面には、親水性の被膜処理などが施されており、第１、第２Ｖ字型熱交換器５１、５２の表面の凝縮水が下方へ吹き飛ぶことはない。
【００２９】
凝縮水が第１、第２ドレンパン６１、６２内に所定の一定量溜まると、溜まった凝縮水は、外部に放出される。
【００３０】
第１、第２Ｖ字型熱交換器５１、５２では、形状の制約および表面の親水性処理により表面に付着した凝縮水は、上部が二股に広がって下部を接続したＶ字における下端部の頂点に集中するように流れる。そのため、第１、第２Ｖ字型熱交換器５１、５２のそれぞれの下方に配置される第１、第２ドレンパン６１、６２は、必ず空気の流路である風路に備えられている。
【００３１】
したがって、第１、第２ドレンパン６１、６２が通風抵抗となり、プロペラファン７から送風された供給空気が第１、第２ドレンパン６１、６２に衝突してから吹出口２３に流れる。また、第１、第２ドレンパン６１、６２が風路中央に備えられるので、風路を部分的に塞いでしまっている。これに対し、第１、第２ドレンパン６１、６２が後述のように小型化が図られ、風路面積の削減が抑制され、プロペラファン７のファン効率の低下が抑制される。
【００３２】
また、第１、第２ドレンパン６１、６２のそれぞれが第１、第２Ｖ字型熱交換器５１、５２の一部を覆っている場合には、第１、第２Ｖ字型熱交換器５１、５２のそれぞれにおける後述する小型化された第１、第２ドレンパン６１、６２のそれぞれから露出する範囲が抑制される。これにより、第１、第２Ｖ字型熱交換器５１、５２では、熱交換効率の低下が抑制される。
【００３３】
このように、ファン効率の低下が抑制されるとともに、熱交換効率の低下が抑制されるように、第１、第２ドレンパン６１、６２の外形が極力小さくされている。
【００３４】
＜第１Ｖ字型熱交換器５１、第１ドレンパン６１および第１集水部品７１の構成＞
図４は、本発明の実施の形態１に係る一方の第１Ｖ字型熱交換器５１、第１ドレンパン６１および第１集水部品７１を示す説明図である。ここでは、一方の第１Ｖ字型熱交換器５１、第１ドレンパン６１および第１集水部品７１を例に挙げて説明する。しかし、他方の第２Ｖ字型熱交換器５２、第２ドレンパン６２および第２集水部品７２も同様な目的で類似する形状に設けられ、同じ作用、効果を奏する。
【００３５】
図４に示すように、第１Ｖ字型熱交換器５１は、上部が二股に広がって下部を接続した熱交換器である。第１ドレンパン６１は、第１Ｖ字型熱交換器５１の下方に配置されている。第１Ｖ字型熱交換器５１の下端部と第１ドレンパン６１との間には、第１集水部品７１が配置されている。ここで、第１集水部品７１および第２集水部品７２は、本発明の集水部に相当する。
【００３６】
＜第１Ｖ字型熱交換器５１、第１ドレンパン６１および第１集水部品７１の関係＞
第１Ｖ字型熱交換器５１と第１ドレンパン６１との間に第１集水部品７１が設けられるため、第１ドレンパン６１は、第１Ｖ字型熱交換器５１の前後方向に重ならず接触しない。第１ドレンパン６１は、第１集水部品７１の全体を覆っている。また、凝縮水が第１ドレンパン６１に確実に受け止められるために、第１ドレンパン６１の外形奥行き幅Ｌｄｒａｉｎと第１Ｖ字型熱交換器５１の下端幅Ｌｈｅｘとの関係は、Ｌｄｒａｉｎ＞Ｌｈｅｘの関係に構成されている。また、凝縮水が第１ドレンパン６１に集約されて確実に溜められるために、第１ドレンパン６１の内底幅Ｌｉｎと第１Ｖ字型熱交換器５１の下端幅Ｌｈｅｘとの関係は、Ｌｉｎ＜Ｌｈｅｘの関係に構成されている。なお、第１Ｖ字型熱交換器５１と第１ドレンパン６１との間に第１集水部品７１が設けられるため、第１ドレンパン６１は、第１集水部品７１のみを収容し、第１Ｖ字型熱交換器５１と重ならず上下方向で離れていても良い。
【００３７】
＜第１Ｖ字型熱交換器５１、第１ドレンパン６１および第１集水部品７１の他の例＞
図５は、本発明の実施の形態１に係る一方の第１Ｖ字型熱交換器５１、第１ドレンパン６１および第１集水部品７１の他の例を示す説明図である。ここでは、その特徴部分のみを記載し、その他の上記実施の形態と同一部分の説明を省略する。
【００３８】
第１ドレンパン６１の内深さＬｈは、図４の構成の第１ドレンパン６１よりも深く構成されている。これにより、第１ドレンパン６１の外形奥行き幅Ｌｄｒａｉｎは、第１ドレンパン６１の凝縮水の収容容量を減ずることなく、図４の構成の第１ドレンパン６１よりも狭められる。これにより、第１ドレンパン６１の外形の小型化が図れる。
【００３９】
＜第１集水部品７１＞
図６は、本発明の実施の形態１に係る第１集水部品７１を示す斜視図である。図６に示すように、第１集水部品７１は、第１Ｖ字型熱交換器５１の下端幅から狭い幅へと下方に収束する収束面７１ａとして斜面を有している。この第１集水部品７１における収束面７１ａは、第１Ｖ字型熱交換器５１の下端幅から第１Ｖ字型熱交換器５１の下端幅を下方へ投影した投影幅の内側の狭い幅へと下方に収束させている。なお、図２に示すように、第２集水部品７２における収束面７２ａも収束面７１ａと同様である。第１集水部品７１および第２集水部品７２は、樹脂材料で構成されている。
【００４０】
すなわち、第１集水部品７１における第１Ｖ字型熱交換器５１の下端幅に接触した上底幅Ａは、第１ドレンパン６１側の下底幅ａよりも長い。加えて、下底幅ａが上底幅Ａの下方投影領域内に収められている。また、第１集水部品７１は、上底幅Ａと下底幅ａとの関係を上記関係とした断面台形形状の長尺状の棒状に形成されている。これにより、第１Ｖ字型熱交換器５１の下端まで流れてきた凝縮水は、第１集水部品７１の収束面７１ａである側面の斜面を流れ落ちるため、局所的に下方に収束させて集水される。したがって、第１集水部品７１を設けた第１ドレンパン６１は、従来のドレンパンよりも小型化できる。
【００４１】
また、第１集水部品７１は、第１Ｖ字型熱交換器５１の長手方向長さに対して同等以上に形成されることにより第１Ｖ字型熱交換器５１の長手方向全ての凝縮水を集水できる。なお、第１集水部品７１の長手方向の側面も、上記と同様に第１Ｖ字型熱交換器５１の下端幅から狭い幅へと下方に収束する面であっても良い。
【００４２】
なお、第１集水部品７１における収束面７１ａは、斜面に限られず、たとえば、曲面、屈折した多平面もしくは多曲面、またはこれらの組み合わせによる面などでも良い。
【００４３】
＜第１集水部品７１の他の例１＞
図７は、本発明の実施の形態１に係る第１集水部品７１の他の例１を示す斜視図である。ここでは、その特徴部分のみを記載し、その他の上記実施の形態と同一部分の説明を省略する。
【００４４】
以上の実施の形態１での第１集水部品７１は、棒状の部品である。第１集水部品７１の第１Ｖ字型熱交換器５１側の上底幅は、第１ドレンパン６１側の下底幅よりも長いものであった。このように第１集水部品７１が断面台形形状の棒状に形成されるので、第１Ｖ字型熱交換器５１から流れてきた凝縮水は、第１集水部品７１の側面を流れる。そして、第１ドレンパン６１は、局所的に収束させた狭い範囲で集水できる。これにより、第１ドレンパン６１の外形奥行き幅Ｌｄｒａｉｎを狭めてファン効率の低下が抑制できるとともに、熱交換効率の低下が抑制できる。しかし、この例では、さらに効率よく排水できる構成とする。
【００４５】
先の例の図６に示すように、第１集水部品７１の上底が床面に対して平行な水平である場合には、第１集水部品７１の上面に凝縮水が溜まるおそれがある。凝縮水が第１集水部品７１の上面に溜って効率よく排水されないと、第１Ｖ字型熱交換器５１の熱交換を遮る。これにより、熱交換効率の低下が懸念される。
【００４６】
そこで、図７に示すように、第１集水部品７１は、上部を下方に行くに従い第１Ｖ字型熱交換器５１の下端部の幅方向における外方に向かって傾斜させている。すなわち、第１集水部品７１の幅方向における上底は、前方の外側に向かって傾斜させた形状に形成されている。これにより、第１集水部品７１の排水性の向上が図れ、第１Ｖ字型熱交換器５１の熱交換効率の低下の抑制が図れる。
【００４７】
＜第１集水部品７１の他の例２＞
図８は、本発明の実施の形態１に係る第１集水部品７１の他の例２を示す斜視図である。ここでは、その特徴部分のみを記載し、その他の上記実施の形態と同一部分の説明を省略する。
【００４８】
図８に示すように、第１集水部品７１は、上部を下方に行くに従い第１Ｖ字型熱交換器５１の下端部の幅方向における外方に向かって傾斜させている。第１集水部品７１は、上部にて中央に稜線を有した前後両側にそれぞれ下方に傾斜させた断面五角形形状の棒状の集水部品である。これにより、凝縮水が上面の傾斜に従って排出されるため、凝縮水の排水が更に効率よく促進され、第１Ｖ字型熱交換器５１の熱交換効率の低下の抑制が図れる。
【００４９】
＜第１集水部品７１の他の例３＞
図９は、本発明の実施の形態１に係る第１集水部品７１の他の例３を示す斜視図である。図１０は、本発明の実施の形態１に係る第１集水部品７１の他の例３を用いることによる第１ドレンパン６１の小型化状態を示す説明図である。ここでは、その特徴部分のみを記載し、その他の上記実施の形態と同一部分の説明を省略する。
【００５０】
先の例の第１集水部品７１は、排水性の向上を図るために、図７に示すように片側上底が外側に傾斜した形状であったり、または、図８に示すように上底にて中央に稜線を有した前後両側にそれぞれ下方に傾斜させた断面五角形形状の棒状であったりした。
【００５１】
図９に示すように、第１集水部品７１の下方に収束する面には、複数の隙間７３が形成されている。ここでは、複数の隙間７３を大きく形成するために、第１集水部品７１は、長手方向の中心線に沿って集水板７４を所定の隙間７３を空けて複数並列に並べた構成を採用している。
【００５２】
これにより、長手方向の中心線に沿って集水板７４が所定の隙間７３を空けて複数並列に配列されるので、集水面積の増加が図られ、効率よく第１ドレンパン６１に凝縮水が排水できる。また、図１０に示すように、第１集水部品７１に形成された複数の隙間７３に第１ドレンパン６１内に回収された凝縮水が保水できる。これにより、第１ドレンパン６１の凝縮水の保持容量に第１集水部品７１の複数の隙間７３が加えられる。したがって、第１ドレンパン６１がより第１Ｖ字型熱交換器５１および第１集水部品７１に接近して配置でき、第１ドレンパン６１の外形がより小型化できる。
【００５３】
なお、集水板７４は、断面台形形状もしくは上記した図６、図７、図８の断面形状でも良い。また、集水板７４は、下部が凸部に突出する断面三角形形状でも良い。
【００５４】
加えて、図９に示すような第１集水部品７１と同じ作用、効果を奏するように、第１集水部品７１に複数の隙間７３を形成する例を挙げた。しかし、これに限られない。集水部品は、たとえば多孔質材などで形成され、それ自体が保水性を有するものでも良い。この場合にも、上記と同様なドレンパンの凝縮水の保持容量に集水部品自体の保水量を加えられる。したがって、ドレンパンの内部領域に集水部品が格納でき、ドレンパンの外形がより小型化できる。
【００５５】
以上のように、第１、第２Ｖ字型熱交換器５１、５２のそれぞれの下方に第１、第２ドレンパン６１、６２のそれぞれが配置されても、凝縮水が第１、第２ドレンパン６１、６２のそれぞれに局所的に収束されて集水できる。このため、第１、第２ドレンパン６１、６２の外形奥行き幅が狭められる。したがって、第１、第２ドレンパン６１、６２の外形を極力小さくし、ファン効率の低下を抑制できるとともに、熱交換効率の低下を抑制できる。
【００５６】
なお、第１、第２集水部品７１、７２は樹脂成型品でも効果に変わりはなく、排水性が向上されるように、第１、第２集水部品７１、７２に親水性を向上させる表面処理が施されても良い。
【００５７】
＜実施の形態１の効果＞
実施の形態１によれば、冷凍サイクル装置の一例である空気調和装置１００の室内機９は、第１、第２Ｖ字型熱交換器５１、５２を備えている。空気調和装置１００の室内機９は、第１、第２Ｖ字型熱交換器５１、５２の下方に配置された第１、第２ドレンパン６１、６２を備えている。空気調和装置１００の室内機９は、第１、第２Ｖ字型熱交換器５１、５２の下端部と第１、第２ドレンパン６１、６２との間に配置され、第１、第２Ｖ字型熱交換器５１、５２の下端部の幅から狭い幅へと下方に収束する収束面７１ａ、７２ａを有した第１、第２集水部品７１、７２を備えている。
【００５８】
この構成によれば、第１、第２ドレンパン６１、６２は、第１、第２集水部品７１、７２を収容すれば凝縮水を回収できる。したがって、第１、第２ドレンパン６１、６２の外形が極力小さくでき、ファン効率の低下が抑制できるとともに、熱交換効率の低下が抑制できる。
【００５９】
実施の形態１によれば、第１、第２集水部品７１、７２は、第１、第２Ｖ字型熱交換器５１、５２の下端部の幅から第１、第２Ｖ字型熱交換器５１、５２の下端部の幅を下方へ投影した投影幅の内側の狭い幅へと下方に収束する収束面７１ａ、７２ａを有している。
【００６０】
この構成によれば、第１、第２集水部品７１、７２は、収束面７１ａ、７２ａによって第１、第２Ｖ字型熱交換器５１、５２の下端部の幅よりも狭い幅の下端部の幅を有する。これにより、第１、第２集水部品７１、７２を収容する第１、第２ドレンパン６１、６２の外形が極力小さくできる。
【００６１】
実施の形態１によれば、第１、第２ドレンパン６１、６２は、第１、第２集水部品７１、７２の全体を覆っている。
【００６２】
この構成によれば、第１、第２ドレンパン６１、６２は、第１、第２Ｖ字型熱交換器５１、５２の下端部から導かれる凝縮水を導く第１、第２集水部品７１、７２の収束面７１ａ、７２ａを覆う。これにより、第１、第２ドレンパン６１、６２は、第１、第２集水部品７１、７２に集められた凝縮水を回収できる。そのため、第１、第２ドレンパン６１、６２は、第１、第２Ｖ字型熱交換器５１、５２を極力覆わずに済む。すなわち、第１、第２Ｖ字型熱交換器５１、５２における第１、第２ドレンパン６１、６２から露出する範囲を狭めることが抑制できる。したがって、熱交換効率の低下が抑制できる。
【００６３】
実施の形態１によれば、第１、第２ドレンパン６１、６２の内底幅は、第１、第２Ｖ字型熱交換器５１、５２の下端部の幅よりも狭い。
【００６４】
この構成によれば、第１、第２ドレンパン６１、６２の外形が極力小さくでき、ファン効率の低下が抑制できるとともに、熱交換効率の低下が抑制できる。
【００６５】
実施の形態１によれば、収束面７１ａ、７２ａは、斜面である。
【００６６】
この構成によれば、収束面７１ａ、７２ａである斜面で第１、第２Ｖ字型熱交換器５１、５２の下端部からの凝縮水を導ける。
【００６７】
実施の形態１によれば、第１、第２Ｖ字型熱交換器５１、５２は、上部が二股に広がって下部を接続したＶ字型の熱交換器である。第１、第２集水部品７１、７２は、第１、第２Ｖ字型熱交換器５１、５２における下部の接続された下端部の幅から狭い幅へと下方に収束する収束面７１ａ、７２ａを有している。
【００６８】
この構成によれば、第１、第２ドレンパン６１、６２は、第１、第２集水部品７１、７２を収容すれば凝縮水を回収できる。したがって、第１、第２ドレンパン６１、６２の外形が極力小さくでき、ファン効率の低下が抑制できるとともに、熱交換効率の低下が抑制できる。
【００６９】
実施の形態１によれば、第１、第２ドレンパン６１、６２は、第１、第２Ｖ字型熱交換器５１、５２が冷媒と熱交換する空気の流路内に配置されている。
【００７０】
この構成によれば、第１、第２ドレンパン６１、６２の外形を極力小さくすることにより、第１、第２ドレンパン６１、６２は、空気の流路を部分的に塞ぐ閉塞量が低減でき、流路断面積の削減が抑制できる。また、第１、第２ドレンパン６１、６２に吹き出し空気が衝突し難くなり、流れる空気の圧力損失の増大が抑制できる。このため、通風抵抗の増加が抑制できる。
【００７１】
実施の形態１によれば、空気を送風するプロペラファン７を備えている。プロペラファン７は、第１、第２Ｖ字型熱交換器５１、５２の上方に配置されている。空気の流路では、空気が第１、第２Ｖ字型熱交換器５１、５２および第１、第２ドレンパン６１、６２を上から下に通過して流れる。
【００７２】
この構成によれば、第１、第２ドレンパン６１、６２の外形を極力小さくすることにより、第１、第２ドレンパン６１、６２は、上から下に通過する空気の流路を部分的に塞ぐ閉塞量が低減でき、流路断面積の削減が抑制できる。また、第１、第２ドレンパン６１、６２に吹き出し空気が衝突し難くなり、流れる空気の圧力損失の増大が抑制できる。このため、通風抵抗の増加が抑制できる。これにより、第１、第２Ｖ字型熱交換器５１、５２の上方にプロペラファン７が配置された場合に、ファン効率の低下が抑制できる。
【００７３】
実施の形態１によれば、第１、第２ドレンパン６１、６２は、第１、第２Ｖ字型熱交換器５１、５２と上下方向で離れて配置されていても良い。
【００７４】
この構成によれば、第１、第２ドレンパン６１、６２は、第１、第２Ｖ字型熱交換器５１、５２の下端部から導かれる凝縮水を導く第１、第２集水部品７１、７２の面を覆い、第１、第２Ｖ字型熱交換器５１、５２と上下方向で離れている。これにより、第１、第２ドレンパン６１、６２は、第１、第２集水部品７１、７２に集められた凝縮水を第１、第２集水部品７１、７２からのみ回収できる。そのため、第１、第２ドレンパン６１、６２は、第１、第２Ｖ字型熱交換器５１、５２を完全に覆わずに済む。すなわち、第１、第２Ｖ字型熱交換器５１、５２における第１、第２ドレンパン６１、６２から露出する範囲を狭めることが防止できる。したがって、熱交換効率の低下がより抑制できる。
【００７５】
実施の形態１によれば、集水部としての第１、第２集水部品７１、７２は、第１、第２Ｖ字型熱交換器５１、５２とは別体の集水部品である。
【００７６】
この構成によれば、第１、第２集水部品７１、７２が容易に単体で製造できる。また、第１、第２集水部品７１、７２は、既存の第１、第２Ｖ字型熱交換器５１、５２に合わせた形状に設計できる。したがって、第１、第２集水部品７１、７２を新たに追加しても空気調和装置１００の室内機９の製造コストが低減できる。
【００７７】
実施の形態１によれば、第１、第２集水部品７１、７２の第１、第２Ｖ字型熱交換器５１、５２の長手方向に直交する断面は、多角形である。
【００７８】
この構成によれば、第１、第２集水部品７１、７２は、凝縮水を第１、第２ドレンパン６１、６２に局所的に集水できる。これにより、第１、第２ドレンパン６１、６２の外形が小型化できる。
【００７９】
実施の形態１によれば、第１、第２集水部品７１、７２は、上部を下方に行くに従い第１、第２Ｖ字型熱交換器５１、５２の長手方向に直交する断面を外方に向かって傾斜させている。
【００８０】
この構成によれば、凝縮水が第１、第２集水部品７１、７２の上部の傾斜に従って導かれるため、凝縮水の排水が効率よく促進され、第１、第２Ｖ字型熱交換器５１、５２の性能低下が抑制できる。
【００８１】
実施の形態１によれば、収束面７１ａ、７２ａには、複数の隙間７３が形成されている。
【００８２】
この構成によれば、第１、第２集水部品７１、７２は、凝縮水を第１、第２ドレンパン６１、６２に局所的に集水できる。これにより、第１、第２ドレンパン６１、６２の外形が小型化できる。また、収束面７１ａ、７２ａに形成された複数の隙間７３に第１、第２ドレンパン６１、６２内に回収された凝縮水が保水できる。これにより、第１、第２ドレンパン６１、６２の凝縮水の保持容量に第１、第２集水部品７１、７２の複数の隙間７３が加えられる。したがって、第１、第２ドレンパン６１、６２がより第１、第２Ｖ字型熱交換器５１、５２および第１、第２集水部品７１、７２に接近して配置でき、第１、第２ドレンパン６１、６２の外形がより小型化できる。
【００８３】
実施の形態１によれば、上記の冷凍サイクル装置は、空気調和装置１００の室内機９である。
【００８４】
この構成によれば、第１、第２Ｖ字型熱交換器５１、５２の積載量が増加しても、第１、第２ドレンパン６１、６２の外形が極力小さくでき、空気調和装置１００の室内機９の小型化が図れる。したがって、空気調和装置１００の室内機９は、施工性が向上できるとともに、室内景観が向上できる。
【００８５】
その他の形態．
上記実施の形態では、集水部として集水部品という別体の単体部品を用いた例を挙げた。しかし、これに限られない。集水部は、第１、第２Ｖ字型熱交換器などの熱交換器の下端部に接続されて一体に形成されていても良い。
【００８６】
＜その他の形態の効果＞
その他の形態によれば、集水部は、熱交換器の下端部に接続されて一体に形成されている。
【００８７】
この構成によれば、集水部が熱交換器の一部として容易に製造できる。したがって、集水部を新たな部品として追加することがなく、製造工程が増加せず、製造効率の増大が招かれず、空気調和装置の室内機の製造コストが低減できる。
【００８８】
上記実施の形態では、ドレンパンをＶ字型熱交換器に取り付ける構成例を挙げた。しかし、これに限られない。ドレンパンが取り付けられる熱交換器であれば、熱交換器の形状は限定されない。
【００８９】
上記実施の形態では、本発明が空気調和装置の室内機に搭載される構成例を挙げた。しかし、これに限られない。たとえば、本発明は、空気調和装置の室外機に搭載される構成であってもよい。また、空気調和装置以外の冷凍装置あるいは給湯器などの冷凍サイクル装置に本発明が適用されてもよい。
【符号の説明】
【００９０】
１  圧縮機、２  四方弁、３  室外熱交換器、４  膨張弁、５  室内熱交換器、６  室外送風ファン、７  プロペラファン、８  室外機、９  室内機、１３  吸込口、１４  後部ケーシング、１５  前部ケーシング、１６  プロペラファン、１７  ベルマウス、１８  第１上下風向板、１９  第２上下風向板、２０  左右風向板、２１ａ  第１整流板、２１ｂ  第２整流板、２２  意匠パネル、２３  吹出口、２４  ファンモータ、５１  第１Ｖ字型熱交換器、５２  第２Ｖ字型熱交換器、６１  第１ドレンパン、６２  第２ドレンパン、７１  第１集水部品、７１ａ  収束面、７２  第２集水部品、７２ａ  収束面、７３  隙間、７４  集水板、１００  空気調和装置。
【図１】
2018207248.tif 000003
【図２】
2018207248.tif 000004
【図３】
2018207248.tif 000005
【図４】
2018207248.tif 000006
【図５】
2018207248.tif 000007
【図６】
2018207248.tif 000008
【図７】
2018207248.tif 000009
【図８】
2018207248.tif 000010
【図９】
2018207248.tif 000011
【図１０】
2018207248.tif 000012
【手続補正書】
【提出日】令和1年8月21日(2019.8.21)
【手続補正１】
【補正対象書類名】明細書
【補正対象項目名】００１１
【補正方法】変更
【補正の内容】
【００１１】
本発明に係る冷凍サイクル装置は、熱交換器と、前記熱交換器の下方に配置されたドレンパンと、前記熱交換器の下端部と前記ドレンパンとの間に配置され、前記熱交換器の下端部の幅から狭い幅へと下方に収束する収束面を有した集水部と、を備え、前記集水部は、前記熱交換器とは別体の集水部品であり、前記集水部品は、上部を下方に行くに従い前記熱交換器の長手方向に直交する断面を外方に向かって傾斜させたものである。
【手続補正２】
【補正対象書類名】特許請求の範囲
【補正対象項目名】全文
【補正方法】変更
【補正の内容】
【特許請求の範囲】
【請求項１】
熱交換器と、
前記熱交換器の下方に配置されたドレンパンと、
前記熱交換器の下端部と前記ドレンパンとの間に配置され、前記熱交換器の下端部の幅から狭い幅へと下方に収束する収束面を有した集水部と、
を備え、
前記集水部は、前記熱交換器とは別体の集水部品であり、
前記集水部品は、上部を下方に行くに従い前記熱交換器の長手方向に直交する断面を外方に向かって傾斜させた冷凍サイクル装置。
【請求項２】
熱交換器と、
前記熱交換器の下方に配置されたドレンパンと、
前記熱交換器の下端部と前記ドレンパンとの間に配置され、前記熱交換器の下端部の幅から狭い幅へと下方に収束する収束面を有した集水部と、
を備え、
前記集水部は、前記熱交換器とは別体の集水部品であり、
前記収束面には、複数の隙間が形成された冷凍サイクル装置。
【請求項３】
前記集水部は、前記熱交換器の下端部の幅から前記熱交換器の下端部の幅を下方へ投影した投影幅の内側の狭い幅へと下方に収束する収束面を有した請求項１または２に記載の冷凍サイクル装置。
【請求項４】
前記ドレンパンは、前記集水部の全体を覆った請求項１〜３のいずれか１項に記載の冷凍サイクル装置。
【請求項５】
前記ドレンパンの内底幅は、前記熱交換器の下端部の幅よりも狭い請求項１〜４のいずれか１項に記載の冷凍サイクル装置。
【請求項６】
前記収束面は、斜面である請求項１〜５のいずれか１項に記載の冷凍サイクル装置。
【請求項７】
前記熱交換器は、上部が二股に広がって下部を接続したＶ字型の熱交換器であり、
前記集水部は、前記Ｖ字型の熱交換器における下部の接続された下端部の幅から狭い幅へと下方に収束する収束面を有した請求項１〜６のいずれか１項に記載の冷凍サイクル装置。
【請求項８】
前記ドレンパンは、前記熱交換器が冷媒と熱交換する空気の流路内に配置された請求項１〜７のいずれか１項に記載の冷凍サイクル装置。
【請求項９】
前記空気を送風するファンを備え、
前記ファンは、前記熱交換器の上方に配置され、
前記空気の流路では、空気が前記熱交換器および前記ドレンパンを上から下に通過して流れる請求項８に記載の冷凍サイクル装置。
【請求項１０】
前記ドレンパンは、前記熱交換器と上下方向で離れて配置された請求項１〜９のいずれか１項に記載の冷凍サイクル装置。
【請求項１１】
前記集水部品の前記熱交換器の長手方向に直交する断面は、多角形である請求項１〜１０のいずれか１項に記載の冷凍サイクル装置。
【請求項１２】
前記集水部は、前記熱交換器の下端部に接続されて一体に形成された請求項１〜１１のいずれか１項に記載の冷凍サイクル装置。
【請求項１３】
請求項１〜１２のいずれか１項に記載の冷凍サイクル装置は、空気調和装置の室内機である空気調和装置。
【国際調査報告】
2018207248.tif 000013
2018207248.tif 000014
2018207248.tif 000015
2018207248.tif 000016